(57)【要約】【課題】カラオケの曲を選ぶ際に行った複数の検索条件を覚えておくことができ、後で呼び出して再度検索を行うことができるカラオケ用リモコン装置の制御プログラム、カラオケ用リモコン装置及びカラオケ用リモコン装置の制御方法を実現する。【解決手段】リクエスト曲の検索により該当曲を検索し、決定した曲をカラオケ装置にリクエストするカラオケ用リモコン装置であって、検索条件を保存し、後に保存した検索条件を呼び出して、簡単にもう一度検索して、検索結果を表示する。【選択図】  図１
2004177441.tif 000002
【特許請求の範囲】
【請求項１】
カラオケ装置に用いられるカラオケ用リモコン装置の制御プログラムであって、
リクエスト曲の検索の開始指示を受け付けるステップと、
検索の開始指示により検索画面を表示するステップと、
検索条件の入力を受け付けるステップと、
検索条件に基づいて曲情報データベースから該当する曲の検索を行うステップと、
検索結果として該当する曲を表示するステップと、
上記検索した結果の保存指示を受け付けるステップと、
検索結果の保存指示があると、前記検索条件を呼び出し可能に記憶するステップと、
検索結果の呼び出し指示を受け付けるステップと、
検索結果の呼び出し指示により、前記呼び出し可能に記憶した検索条件を一覧表示するステップと、
一覧表示された検索条件から所望の検索条件の選択指示を受け付けるステップと、
所望の検索条件の選択指示により、該検索条件に基づいて曲情報データベースから該当する曲の検索を行うステップと、
検索結果として該当する曲を表示するステップと、
リクエスト曲の決定指示を受け付けるステップと、
リクエスト曲の決定指示により、カラオケ装置にリクエスト信号を送信するステップと
よりなることを特徴とするカラオケ用リモコン装置の制御プログラム。
【請求項２】
カラオケ装置に用いられるカラオケ用リモコン装置であって、
リクエスト曲の検索操作を行うためのキー入力部と、
リクエスト曲を検索するための曲情報データベースと、
検索指示に基づいて、前記曲情報データベースから該当する曲を検索する検索処理部と、
前記検索結果を表示する検索結果表示部と、
上記検索した結果の保存を指示するための保存指示入力部と、
該検索結果の保存指示があると、前記検索条件を呼び出し可能に記憶する記憶部と、
検索結果の呼び出しを指示するための呼び出し指示入力部と、
検索結果の呼び出し指示により、前記呼び出し可能に記憶した検索条件を一覧表示する検索条件表示部と、
一覧表示された検索条件から所望の検索条件の選択指示により、前記検索処理部に、該検索条件に基づく検索を指示する検索指示部と、
表示された検索結果の中から選択されたリクエスト曲のリクエスト信号をカラオケ装置に送信するリクエスト送信部と
を備えたことを特徴とするカラオケ用リモコン装置。
【請求項３】
カラオケ装置に用いられるカラオケ用リモコン装置の制御方法であって、
リクエスト曲の検索の開始指示を受け付ける手順と、
検索の開始指示により検索画面を表示する手順と、
検索条件の入力を受け付ける手順と、
検索条件に基づいて曲情報データベースから該当する曲の検索を行う手順と、
検索結果として該当する曲を表示する手順と、
上記検索した結果の保存指示を受け付ける手順と、
検索結果の保存指示があると、前記検索条件を呼び出し可能に記憶する手順と、
検索結果の呼び出し指示を受け付ける手順と、
検索結果の呼び出し指示により、前記呼び出し可能に記憶した検索条件を一覧表示する手順と、
一覧表示された検索条件から所望の検索条件の選択指示を受け付ける手順と、所望の検索条件の選択指示により、該検索条件に基づいて曲情報データベースから該当する曲の検索を行う手順と、
検索結果として該当する曲を表示する手順と、
リクエスト曲の決定指示を受け付ける手順と、
リクエスト曲の決定指示により、カラオケ装置にリクエスト信号を送信する手順と
よりなることを特徴とするカラオケ用リモコン装置の制御方法。
【発明の詳細な説明】
【０００１】
【発明の属する技術分野】
この発明は、カラオケ用リモコン装置の制御プログラム、カラオケ用リモコン装置及びカラオケ用リモコン装置の制御方法に関する。
【０００２】
【従来の技術】
カラオケ装置に演奏曲のリクエスト入力するためのカラオケ用リモコン装置があるが、従来のものは、曲番号のリクエスト入力機能を持っているのみで、リクエストに必要な曲番号は、ユーザが楽曲本をめくって希望する曲番号を見つけて、リモコン装置に入力していた。
【０００３】
そこで、本願出願人は、リクエスト曲の検索機能を備え、検索した曲をリモコンでリクエスト予約できるカラオケ用リモコン装置を開発した。このような従来のカラオケ用リモコン装置によれば、ユーザは楽曲本をめくらなくても、歌いたい曲を見つけてリクエストを行うことができるようになる。
【０００４】
このような検索機能付きのカラオケ用リモコン装置は、ユーザに曲名，歌手名，ジャンルなどの検索条件を入力させたり、音量や音程や調子等を調節するためのリモコン操作をさせるためのキー入力部と、検索結果を表示するための比較的大きな表示部を必要とするが、そのためにカラオケ用リモコン装置が大型化しないように、使用頻度の比較的低いボタンは、ソフトウエアボタンとして表示部に表示して、表示部としてタッチ入力方式のパネルを載置した表示部を採用してリモコン装置の小型化を図っている。
【０００５】
【発明が解決しようとする課題】
カラオケをする場合、まずは自分が歌う曲を決めなければならない。歌う曲が予め決まっている人は問題ないが、普段あまり歌を歌う機会の少ない人にとって、歌う曲を決める作業は結構時間が掛かるものである。
【０００６】
歌えそうな歌があったとしても、曲名や歌手名の記憶があやふやだと、その曲を見つけるのも一苦労であるし、たとえ上手く検索できても、その曲を歌えるかどうか自身がないと別の歌にしようかと、他の歌曲も検索してみて、やっぱり前に検索した曲にしようかと、何度も検索をし直して、やっと歌う曲を決めているのが現状である。
【０００７】
したがって、検索に成功した前の検索を覚えておくことができると、後に再度検索する際にもう一度検索条件を入れ直す必要が無くて便利である。
【０００８】
また、このように歌う曲を決めるのに一人のユーザが長い間カラオケ用リモコン装置を占有してしまうので、カラオケを複数人でする場合には、更に以下のような問題も生じてしまう。
【０００９】
即ち、カラオケをグループで利用する場合、カラオケ用リモコン装置が人数分あればよいが、通常は、１台乃至２台のリモコン装置を複数人で共通して使用するため、ひとりがリクエストする曲をリモコン装置を使って検索中に、別の人からピッチ調整やリクエスト予約等したいからリモコン装置を貸してと申し込まれた場合、曲の検索を中止して、操作中のリモコン装置を当該別の人に渡さなければならない。このような場合、曲の検索操作をしていた人の検索条件などの情報は、別の人がリモコン操作をする際に消えてしまうため、別の人からリモコン装置を返してもらって曲の検索を再開する際には、再度、検索条件などをリモコン装置に入力しなければならないという問題点があった。
【００１０】
本発明は、このような事情に鑑みなされたものであり、カラオケの曲を選ぶ際に行った複数の検索条件を覚えておくことができ、後で呼び出して再度検索を行うことができると共に、検索結果を記憶するのではなく検索条件を記憶することで、検索情報の記憶に必要なメモリ容量を押さえることができて、産業上利用価値の高いカラオケ用リモコン装置の制御プログラム、カラオケ用リモコン装置及びカラオケ用リモコン装置の制御方法を提供することを目的とする。
【００１１】
【課題を解決するための手段】
この発明は、上記目的を達成するため、カラオケ装置に用いられるカラオケ用リモコン装置の制御プログラムであって、リクエスト曲の検索の開始指示を受け付けるステップと、検索の開始指示により検索画面を表示するステップと、検索条件の入力を受け付けるステップと、検索条件に基づいて曲情報データベースから該当する曲の検索を行うステップと、検索結果として該当する曲を表示するステップと、上記検索した結果の保存指示を受け付けるステップと、検索結果の保存指示があると、前記検索条件を呼び出し可能に記憶するステップと、検索結果の呼び出し指示を受け付けるステップと、検索結果の呼び出し指示により、前記呼び出し可能に記憶した検索条件を一覧表示するステップと、一覧表示された検索条件から所望の検索条件の選択指示を受け付けるステップと、所望の検索条件の選択指示により、該検索条件に基づいて曲情報データベースから該当する曲の検索を行うステップと、検索結果として該当する曲を表示するステップと、リクエスト曲の決定指示を受け付けるステップと、リクエスト曲の決定指示により、カラオケ装置にリクエスト信号を送信するステップとよりなることを特徴とするカラオケ用リモコン装置の制御プログラムである。
【００１２】
また、この発明は、上記目的を達成するため、カラオケ装置に用いられるカラオケ用リモコン装置であって、リクエスト曲の検索操作を行うためのキー入力部と、リクエスト曲を検索するための曲情報データベースと、検索指示に基づいて、前記曲情報データベースから該当する曲を検索する検索処理部と、前記検索結果を表示する検索結果表示部と、上記検索した結果の保存を指示するための保存指示入力部と、該検索結果の保存指示があると、前記検索条件を呼び出し可能に記憶する記憶部と、検索結果の呼び出しを指示するための呼び出し指示入力部と、検索結果の呼び出し指示により、前記呼び出し可能に記憶した検索条件を一覧表示する検索条件表示部と、一覧表示された検索条件から所望の検索条件の選択指示により、前記検索処理部に、該検索条件に基づく検索を指示する検索指示部と、表示された検索結果の中から選択されたリクエスト曲のリクエスト信号をカラオケ装置に送信するリクエスト送信部とを備えたことを特徴とするカラオケ用リモコン装置である。
【００１３】
また、この発明は、上記目的を達成するため、カラオケ装置に用いられるカラオケ用リモコン装置の制御方法であって、リクエスト曲の検索の開始指示を受け付ける手順と、検索の開始指示により検索画面を表示する手順と、検索条件の入力を受け付ける手順と、検索条件に基づいて曲情報データベースから該当する曲の検索を行う手順と、検索結果として該当する曲を表示する手順と、上記検索した結果の保存指示を受け付ける手順と、検索結果の保存指示があると、前記検索条件を呼び出し可能に記憶する手順と、検索結果の呼び出し指示を受け付ける手順と、検索結果の呼び出し指示により、前記呼び出し可能に記憶した検索条件を一覧表示する手順と、一覧表示された検索条件から所望の検索条件の選択指示を受け付ける手順と、所望の検索条件の選択指示により、該検索条件に基づいて曲情報データベースから該当する曲の検索を行う手順と、検索結果として該当する曲を表示する手順と、リクエスト曲の決定指示を受け付ける手順と、リクエスト曲の決定指示により、カラオケ装置にリクエスト信号を送信する手順とよりなることを特徴とするカラオケ用リモコン装置の制御方法である。
【００１４】
【発明の実施の形態】
以下、この発明の実施の形態を図に基づいて説明する。
【００１５】
図１はこの発明の実施形態であるカラオケ用リモコン装置１００の外観図である。該リモコン装置１００の上面の操作面には操作ボタンが設けられており、「曲名」ボタン１１，「歌手／ジャンル」ボタン１２，「新譜／発売年」ボタン１３はそれぞれの検索カテゴリによる検索の操作開始を指示する検索ボタンであり、「曲名」ボタンは曲名での検索、「歌手名／ジャンル」ボタンは１回押下すれば歌手名による検索，２回押下すればジャンルによる検索、「新譜／発売年」ボタンは１回押下すれば新譜検索、２回押下すれば発売年による検索を行うことができる。
【００１６】
また、「リモコン」ボタン１４は、表示部２２にソフトウエアボタンを表示するための操作ボタン、１５は曲名や歌手名などの検索キーワードを入力するための平仮名，アルファベットなどの文字入力ボタン、１６は「決定」ボタン、１７はカーソル移動ボタン、１８は「戻る」ボタン、１９は「ＯＮ／ＯＦＦ」ボタンである。
【００１７】
また、３０は、検索中に押下することで、検索に使用した検索条件（検索カテゴリ（「曲名」，「歌手」など）と検索キーワード（「あぁ」など）を一時記憶するための「保存」ボタン、３１は前記一時保存した検索条件を呼び出して、検索に使用するための「呼出」ボタン、３２は前記一時保存した検索条件をメモリ上から消去するための「クリア」ボタンである。
【００１８】
図２は、カラオケ用リモコン装置１００のブロック構成図である。図中、２１は前記操作ボタンのボタン押下を受け付けるＫｅｙＩ／Ｆ部、２２は検索結果を表示するＬＣＤ等の表示部であり、該表示部２２上にはタッチ入力用シートが敷設されている。
【００１９】
２３は検索処理やリモコン処理などの本発明のカラオケ用リモコン装置の制御プログラムを記憶すると共に検索用の曲情報データベース２３１（曲名、歌手名、ジャンル、新譜、発売年、唄い出し（歌詞）等）を記憶する記憶部、２４は前記記憶部のプログラムに基づいて各種処理・制御を実行する処理部、２５は電源部、２６はカラオケ装置に曲のリクエスト予約を行ったり、カラオケ装置１の音量やピッチ調整をリモートコントロールするリモコン制御信号を送信するリモコン送信部、２７は前記「保存」ボタン３０の指示により検索中の検索条件（検索カテゴリ（「曲名」，「歌手」など）と検索キーワード（「あぁ」など）を一時保存するための検索条件記憶部である。尚、一時保存する情報を検索結果すべてとせずに、検索条件（検索カテゴリ（「曲名」，「歌手」など）と検索キーワード（「あぁ」など））とすることで、一時保存用のメモリ容量を押さえることができると共に、より多くの検索条件を保存できるように工夫している。
【００２０】
次に、カラオケ用リモコン装置１００を利用して曲検索を行い、カラオケ装置１にリクエスト曲をリモコン予約処理するまでの流れを、図３のフローチャートおよび図４乃至図９の画面表示例を用いて説明する。
【００２１】
ユーザが歌う曲を選ぶためリモコン装置１００の検索ボタンを押下すると（ステップ１、以下、ステップをＳと略記する、図面において同じ）、ＫｅｙＩ／Ｆ部２１はその検索ボタンの検索カテゴリを認識し（Ｓ２）、「曲名」検索ボタン１１が押下されていた場合は、曲名検索画面（図４Ｂ参照）が表示される（Ｓ３）。
【００２２】
曲名検索画面（図４Ｂ）の曲名［    ］欄は、曲名検索の検索キーワードを入力する入力欄であり、ここに文字入力ボタン１５を用いて平仮名入力「あぁ」が入力されると（Ｓ４）、上記ＫｅｙＩ／Ｆ部２１は入力されたボタンの認識を行ない（Ｓ５）、検索条件が検索カテゴリ「曲名」及び検索キーワード「あぁ」であるため、曲情報データベース２３１の曲名データについて検索キーワード「あぁ」による前方一致検索が実行される（Ｓ６）。
【００２３】
検索結果は、前方一致する曲名を１曲１行で表示部２２に表示される（Ｓ７）（図４Ｂ参照）。
【００２４】
ここで、「保存」ボタン３０が押下されると（Ｓ８）、ＫｅｙＩ／Ｆ部２１がそれを認識し（Ｓ９）、検索条件の保存処理が実行される（Ｓ２０）。上記例の場合、検索カテゴリ「曲名」と検索キーワード「あぁ」が検索条件記憶部２７に一時保存される。
【００２５】
リクエスト曲の検索は、曲名検索と同様の操作で、他の検索カテゴリによる検索を行うことができる。
【００２６】
即ち、「歌手／ジャンル」ボタン１２を１回押下すると（Ｓ１）、ＫｅｙＩ／Ｆ部２１はそれを認識して（Ｓ２）、歌手名検索画面が表示される（図５Ｂ参照）。歌手名検索画面（図５Ｂ）の歌手［    ］欄に文字入力ボタン１５を用いて平仮名入力「こい」が入力されると（Ｓ４）、上記ＫｅｙＩ／Ｆ部２１は入力されたボタンの認識を行ない（Ｓ５）、検索条件が検索カテゴリ「歌手」及び検索キーワード「こい」であるため、曲情報データベース２３１の歌手名データについて検索キーワード「こい」による前方一致検索が実行されて（Ｓ６）、検索結果として前方一致する歌手名が１名１行で表示部２２に表示される（図５Ｂ参照）。
【００２７】
ここで、「保存」ボタン３０が押下されると（Ｓ８）、ＫｅｙＩ／Ｆ部２１がそれを認識し（Ｓ９）、検索条件の保存処理が実行される（Ｓ２０）。この場合、検索カテゴリ「歌手」と検索キーワード「こい」が検索条件記憶部２７に追加保存される。
【００２８】
図６は、ジャンル検索を行った例を示しており、ジャンルとして「アニメ」を選択した際の検索結果画面を図６Ｂに示す。ここで、「保存」ボタン３０が押下されると、上記と同様の処理で検索カテゴリ「ジャンル」検索と検索キーワード「アニメ」が検索条件記憶部２７に追加保存される。
【００２９】
図７は、新譜検索を行った例を示しており、新譜として「１０月」を選択した場合の検索結果画面を図７Ｂに示す。ここで、「保存」ボタン３０が押下されると、上記と同様の処理で検索カテゴリ「新譜」検索と検索キーワード「１０月」が検索条件記憶部２７に追加保存される。
【００３０】
図８は、発売年検索を行った例を示しており、発売年として「２００１」年を選択した場合の検索結果画面を図８Ｂに示す。ここで、「保存」ボタン３０が押下されると、上記と同様の処理で検索カテゴリ「発売年」検索と検索キーワード「２００１」が検索条件記憶部２７に追加保存される。
【００３１】
このようにして保存した検索条件は「呼出」ボタン３１を押下することで、いつでも表示部２２上に表示することができる。
【００３２】
「呼出」ボタン３１が押下されると、検索条件記憶部２７から一時保存した検索条件が呼び出され、保存順に並べられてリスト表示される（Ｓ２１）。上記保存した検索条件を呼び出し表示した場合の表示画面例を図９Ｂに示す。
【００３３】
カーソル移動ボタン１７を操作してカーソルｃを所望の検索条件上に移動することできる（Ｓ２２，Ｓ２３，Ｓ２４）（図９Ｃ参照）。「決定」ボタン１６が押下されると（Ｓ２５，Ｓ２６）、該カーソルｃで指定した検索条件（検索カテゴリ「曲名」検索と検索キーワード「あぁ」）に基づいて曲情報データベース２３１の検索を行い検索結果を表示する（Ｓ２８）（図９Ｄ参照）。
【００３４】
ユーザがカーソル移動ボタン１７を操作して、カーソルｃを所望の曲名位置（「あぁ」）に移動して（Ｓ８，Ｓ９，Ｓ１０）（図９Ｅ参照）、「決定」ボタン１６を押下すると（Ｓ１１，Ｓ１２）、曲名「あぁ」の詳細情報が表示される（Ｓ１３）（図９Ｆ参照）。この詳細表示画面には、曲名「あぁ」の曲番、タイトル、歌手名、唄い出し情報が表示される。ユーザがこの曲をリクエスト予約を希望する場合には、「決定」ボタンを再度押下する（Ｓ１４，Ｓ１５）。これにより曲番情報（リモコン制御信号）が、カラオケ用リモコン装置１００からカラオケ装置１へ送信されて（Ｓ１６）、リクエスト予約が完了する。
【００３５】
尚、保存した検索条件を削除する場合には、図９Ｂの検索条件のリスト表示画面上で削除したい検索条件にカーソルｃを移動して、「クリア」ボタン３２を押下する。これにより、カーソルｃで選択した検索条件の情報が検索条件記憶部２７から削除される（Ｓ２９）。すべての検索条件を一括削除したい場合は、「クリア」ボタンを長押しすることで一括削除できる。
【００３６】
このようにユーザは複数の検索条件を保存しておくことができるので、リクエストする曲をいろいろ迷っている場合や、検索途中でリモコン装置を他の人に貸す場合でも、簡単に同じ検索を行って、所望の曲を選択することができるという優れた効果を奏することができる。
【００３７】
また、検索条件の保存は、検索結果を全て保存するのではなく、検索を行った検索カテゴリ情報と検索キーワードを保存する構成としたので、検索条件の保存に要する記憶部の容量を小さくすることができ、リモコン装置の小型化、低コスト化に貢献することができるという優れた効果を奏することができる。
【００３８】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【００３９】
【発明の効果】
以上説明したように、この発明によれば、カラオケの曲を選ぶ際に行った複数の検索条件を覚えておくことができ、後で呼び出して再度検索を行うことができると共に、検索結果を記憶するのではなく検索条件を記憶することで、検索情報の記憶に必要なメモリ容量を押さえることができるカラオケ用リモコン装置の制御プログラム、カラオケ用リモコン装置及びカラオケ用リモコン装置の制御方法を実現することができる。
【図面の簡単な説明】
【図１】この発明の実施の形態であるカラオケ用リモコン装置の外観図である。
【図２】この発明の実施の形態にかかるカラオケ用リモコン装置のブロック構成を示す説明図である。
【図３】この発明の実施の形態にかかるカラオケ用リモコン装置の動作フォローチャートである。
【図４】この発明の実施の形態にかかるカラオケ用リモコン装置の操作画面（曲名検索条件の保存処理）の流れを示す説明図である。
【図５】この発明の実施の形態にかかるカラオケ用リモコン装置の操作画面（歌手名検索条件の保存処理）の流れを示す説明図である。
【図６】この発明の実施の形態にかかるカラオケ用リモコン装置の操作画面（ジャンル検索条件の保存処理）の流れを示す説明図である。
【図７】この発明の実施の形態にかかるカラオケ用リモコン装置の操作画面（新譜検索条件の保存処理）の流れを示す説明図である。
【図８】この発明の実施の形態にかかるカラオケ用リモコン装置の操作画面（発売年検索条件の保存処理）の流れを示す説明図である。
【図９】この発明の実施の形態にかかるカラオケ用リモコン装置の操作画面（検索条件呼出，クリア処理）の流れを示す説明図である。
１００    カラオケ用リモコン装置
１１      「曲名」ボタン
１２      「歌手／ジャンル」ボタン
１３      「新譜／発売年」ボタン
１４      「リモコン」ボタン
１５      文字入力ボタン
１６      「決定」ボタン
１７      カーソル移動ボタン
１８      「戻る」ボタン
１９      「ＯＮ／ＯＦＦ」ボタン
２１      Ｋｅｙ  Ｉ／Ｆ部
２２      表示部
２３      記憶部
２３１    曲情報データベース
２４      処理部
２５      電源部
２６      リモコン送信部
２７      検索条件記憶部
１        カラオケ装置（カラオケコマンダ）
【図１】
2004177441.tif 000003
【図２】
2004177441.tif 000004
【図３】
2004177441.tif 000005
【図４】
2004177441.tif 000006
【図５】
2004177441.tif 000007
【図６】
2004177441.tif 000008
【図７】
2004177441.tif 000009
【図８】
2004177441.tif 000010
【図９】
2004177441.tif 000011